(57)【要約】【課題】組付精度が高く、予め設定した剛性を確実に得ることができるうえ、装飾性も高める。【解決手段】中央の一端から縦方向に延びる噛合溝１３を有する噛合面１２と、噛合面１２の両側縁に連続する外側面１４Ａ，１４Ｂと、外側面１４Ａ，１４Ｂの側縁に連続し噛合面１２に重畳される重畳面１６Ａ，１６Ｂと、噛合面１２に設けたロック部１８と、外側面１４Ａ，１４Ｂまたは重畳面１６Ａ，１６Ｂに形成した被ロック部２５とを備えた２以上の構成部材１１Ａ，１１Ｂを設け、各構成部材１１Ａ，１１Ｂの噛合溝１３，１３により噛合面１２，１２を噛み合わせ、各外側面１４Ａ，１４Ｂを同一方向に折り曲げるとともに重畳面１６Ａ，１６Ｂを折り曲げ、この折り曲げにより対向する噛合面１２のロック部１８に被ロック部２５をロックさせてなる。【選択図】図１
2006167285.tif 000002
【特許請求の範囲】
【請求項１】
中央の一端から縦方向に延びる噛合溝を有する噛合面と、該噛合面の両側縁に連続する外側面と、該外側面の側縁に連続し前記噛合面に重畳される重畳面と、前記噛合面に設けたロック部と、前記外側面または重畳面に形成した被ロック部とを備えた２以上の構成部材を設け、
各構成部材の噛合溝により噛合面を噛み合わせ、各外側面を同一方向に折り曲げるとともに重畳面を折り曲げ、この折り曲げにより対向する噛合面のロック部に被ロック部をロックさせてなることを特徴とするディスプレイ台。
【請求項２】
前記ロック部を、噛合面の両側縁より所定間隔をあけた位置に設けたことを特徴とする請求項１に記載のディスプレイ台。
【発明の詳細な説明】
【技術分野】
【０００１】
本発明は、表面に所定の印刷を施して立て看板として使用したり、複数用いてディスプレイ用の天板上に商品を載置したり、単独で用いて上部に商品を載置するためのディスプレイ台に関するものである。
【背景技術】
【０００２】
従来、ディスプレイ台は、図６に示すように、四角筒状をなす外装部材１と、該外装部材１の内部に配設する略十字形状の補強部材４とで構成されている。前記外装部材１は、同一形状の各壁面部２Ａ〜２Ｄを横方向に連設したもので、その一端の壁面部２Ａには他端の壁面部２Ｄに貼着するための糊代部３が連設されている。前記補強部材４は、その中央の一端から縦方向に延びる噛合溝５ａを有する同一形状をなす一対の構成部材５Ａ，５Ｂからなる。
【０００３】
しかしながら、前記ディスプレイ台は、外装部材１と補強部材４との組付精度が悪く、剛性が低下したり、取り扱いの面で難点がある。具体的には、前記外装部材１は、糊代部３を形成する必要性から、その内法は正確な矩形状とすることが困難であるうえ、貼着時に誤差が生じる。そのため、前記補強部材４を内部に配置した際に、各構成部材５Ａ，５Ｂの端縁を外装部材１の隅部に当接させるのが困難であり、最悪の場合には外装部材１を把持して搬送する際に補強部材４が脱落するという問題がある。なお、外装部材１の内法が補強部材４の外法より若干小さくなるように製造すれば、前記問題が生じることを抑制できるが、貼着時の誤差は防止できないため完全ではないうえ、外装部材１内に補強部材４を組み付ける際の作業性が悪くなるという難点がある。
【発明の開示】
【発明が解決しようとする課題】
【０００４】
本発明では、組付精度が高く、予め設定した剛性を確実に得ることができるうえ、装飾性も高めることができるディスプレイ台を提供することを課題とするものである。
【課題を解決するための手段】
【０００５】
前記課題を解決するため、本発明のディスプレイ台は、中央の一端から縦方向に延びる噛合溝を有する噛合面と、該噛合面の両側縁に連続する外側面と、該外側面の側縁に連続し前記噛合面に重畳される重畳面と、前記噛合面に設けたロック部と、前記外側面または重畳面に形成した被ロック部とを備えた２以上の構成部材を設け、各構成部材の噛合溝により噛合面を噛み合わせ、各外側面を同一方向に折り曲げるとともに重畳面を折り曲げ、この折り曲げにより対向する噛合面のロック部に被ロック部をロックさせてなる構成としている。
このディスプレイ台では、前記ロック部を、噛合面の両側縁より所定間隔をあけた位置に設けることが好ましい。
【発明の効果】
【０００６】
本発明のディスプレイ台では、２以上の構成部材を噛み合わせるとともに、連設した外側面を折り曲げ、ロック部に被ロック部をロックさせる構成としているため、組付時に生じる誤差を無くし、組付精度を高めることができる。その結果、予め設定した剛性を確実に得ることができる。また、被ロック部は、異なる構成部材に形成したロック部にロックされるため、異なる場所に搬送する際に部品が脱落することもない。
【０００７】
さらに、ロック部を噛合面の両側縁より所定間隔をあけた位置に設けているため、組付状態では、外側面が噛合面の中間部分に向けて延びることになる。そのため、例えば、２つの構成部材を用いた場合には、組付状態での外観が平面視風車形状をなす。そのため、所定の被載置物を載置した状態での装飾性を向上することができる。
【発明を実施するための最良の形態】
【０００８】
以下、本発明の実施の形態を図面に従って説明する。
【０００９】
図１から図４は、本発明の実施形態に係るディスプレイ台１０を示す。このディスプレイ台１０は、表面に所定の印刷を施すことにより図１に示すように単独で立設させて立て看板として使用したり、図２に示すように、被載置物である天板３０の下に所定間隔をもって複数配置することにより、所定の商品をディスプレイする台の一部として使用したり、上部に被載置物である商品を直接載置して使用されるもので、一対の構成部材１１Ａ，１１Ｂを組み付けて構成される。
【００１０】
前記構成部材１１Ａ，１１Ｂは、表紙および裏紙の間に波状の中しんを配設した周知の段ボール紙を、図示しない周知の紙器打抜装置によって図４に示すように打ち抜いて形成した同一形状のものである。なお、この構成部材１１Ａ，１１Ｂは、図４における上下方向である縦方向に段ボール紙を構成する中しんが延びるように打ち抜かれる。
【００１１】
具体的には、これら構成部材１１Ａ，１１Ｂのブランクは、図４（Ａ）に示すように、その中央に矩形状をなす噛合面１２を備えている。この噛合面１２には、中央より縦方向に延びる噛合溝１３が形成されている。また、前記噛合面１２の両側縁には、矩形状の外側面１４Ａ，１４Ｂが連設され、その境界部分に肉厚を圧縮するように罫を入れて形成した折曲線１５が設けられている。さらに、この外側面１４Ａ，１４Ｂの側縁には、前記噛合面１２に重畳される重畳面１６Ａ，１６Ｂと、後述する被ロック部２５とが連設され、該被ロック部２５の形成位置を除く重畳面１６Ａ，１６Ｂとの境界部分に前記と同様の折曲線１７が設けられている。
【００１２】
前記噛合面１２において、両端縁から横方向に所定間隔をあけた内側位置には、上下に２個（計４個）のロック部１８が設けられている。このロック部１８は、図４（Ｂ）に示すように、縦方向に長い略五角形状をなす挿通孔１９と、該挿通孔１９における外側から内向きに突出するロック突起２０とを備えている。前記挿通孔１９に対する後述する被ロック部２５の挿通作業性を向上するために、前記ロック突起２０には外側に向けて横方向に延びる直線状切断線２１が設けられている。この直線状切断線２１の端部には、内向きに湾曲した円弧状切断線２２が設けられるとともに、前記挿通孔１９の外側縁には延長線上に延びる切断線２３が設けられている。そして、この切断線２３の端部には、前記円弧状切断線２２に向けて接線上に延びる折曲線２４が設けられている。
【００１３】
前記外側面１４Ａ，１４Ｂに連続するように形成される被ロック部２５は、図４（Ｃ）に示すように、前記重畳面１６Ａ，１６Ｂの一部に切断線を施すことにより形成されている。具体的には、被ロック部２５は、前記挿通孔１９の上下端縁と横方向に一致し、横方向に延びる直線状切断線２６と、これら直線状切断線２６の両端間にかけて外向きに迂回するように延びる円弧状切断線２７とからなる切り起こし構造のものである。これら切断線２６，２７で囲繞された内部には、前記ロック突起２０に対応する矩形状のロック穴２８が設けられている。
【００１４】
次に、同一形状をなす一対の構成部材１１Ａ，１１Ｂを組み付けてディスプレイ台１０を形成する工程について説明する。
【００１５】
まず、図３に示すように、各構成部材１１Ａ，１１Ｂを噛合溝１３，１３の開口した端部が向かい合うように配置し、これら構成部材１１Ａ，１１Ｂの噛合面１２，１２を互いに噛み合わせる。その後、図中、矢印で示すように、４つの外側面１４Ａ，１４Ｂを全て同一方向に折り曲げるとともに、連続した重畳面１６Ａ，１６Ｂを内向きに折り曲げる。
【００１６】
そして、これらの折り曲げにより対向する噛合面１２に重畳面１６Ａ，１６Ｂを重畳させるとともに、重畳面１６Ａ，１６Ｂの折り曲げにより突出する被ロック部２５をロック部１８の挿通孔１９に挿通させる。この際、挿通孔１９内にはロック突起２０が突出しているため、該ロック部１８が被ロック部２５の挿通の妨げになるが、本実施形態では直線状切断線２１を形成しているため、ロック突起が分割された状態で撓むことができる。その結果、被ロック部２５の挿通作業性を向上できるとともに、ロック突起２０が損傷し、ロック強度が低下することを防止できる。
【００１７】
前述のようにしてロック部１８の挿通孔１９に被ロック部２５を挿通させると、重畳面１６Ａ，１６Ｂが噛合面１２に完全に重畳した状態をなす。この状態で、ロック突起２０が撓んだ状態から完全に復元していない場合には、指で逆向きに撓ませることにより、ロック突起２０をロック穴２８に係合させて確実にロックさせることにより、図１に示すように、組み付けが完了する。
【００１８】
このように、本実施形態のディスプレイ台１０は、一対の構成部材１１Ａ，１１Ｂを、噛み合わせによる係合と、ロック部１８と被ロック部２５とのロックにより組み付けられるため、組付時に生じる誤差は無く、組付精度を高めることができる。その結果、予め設定した剛性を確実に得ることができる。また、被ロック部２５は、異なる構成部材１１Ａ，１１Ｂに形成したロック部１８にロックされるため、この組付状態のディスプレイ台１０を把持して異なる場所に搬送した場合でも、構成部品が脱落することもない。
【００１９】
さらに、この組付状態のディスプレイ台１０は、ロック部１８を噛合面１２の両側縁より所定間隔をあけた位置に設けているため、外側面１４Ａ，１４Ｂが噛合面１２の中間部分に向けて延びる。そのため、外観は平面視風車形状をなし、装飾性を向上することができる。
【００２０】
なお、本発明のディスプレイ台１０は、前記実施形態の構成に限定されるものではなく、種々の変更が可能である。
【００２１】
例えば、前記実施形態では、噛合面１２に挿通孔１９とロック突起２０とを有するロック部１８を形成し、外側面１４Ａ，１４Ｂにロック穴２８を有する差込片からなる被ロック部２５を連設したが、このロック部１８および被ロック部２５の構成は希望に応じて変更が可能である。具体的には、ロック部１８は噛合面１２の一部を除く他の部分を所定形状に切断した切り起こし構造の係止片とし、被ロック部２５は重畳面１６Ａ，１６Ｂに設けた係止穴としてもよい。即ち、そのロック構造は種々の変更が可能であり、その構造に従って被ロック部２５の形成部位は、外側面１４Ａ，１４Ｂおよび重畳面１６Ａ，１６Ｂのいずれかに変更される。
【００２２】
また、ディスプレイ台１０は、組付作業性、部品点数およびコストの面で、前記実施形態のように２つの構成部材１１Ａ，１１Ｂにより構成することが好ましいが、装飾性や剛性を向上するために、３以上の構成部材により構成してもよい。
【００２３】
図５（Ａ），（Ｂ）は、前記実施形態と同様に、中央の一端から縦方向に延びる噛合溝１３を有する噛合面１２と、該噛合面１２の両側縁に連続する外側面１４Ａ，１４Ｂと、該外側面１４Ａ，１４Ｂの側縁に連続する重畳面１６Ａ，１６Ｂと、ロック部１８と、被ロック部２５とを備えた３つの構成部材１１Ａ〜１１Ｃを組み付けてなるディスプレイ台１０を示す。
【００２４】
図５（Ａ）に示すディスプレイ台１０では、３つの構成部材１１Ａ〜１１Ｃのうち、１つの構成部材１１Ａには、上下端から全高の約三分の一の寸法で縦方向に延びる一対の噛合溝１３が設けられ、他の構成部材１１Ｂ，１１Ｃには、一端から全高の約三分の二の寸法で縦方向に延びる噛合溝１３が設けられている。そして、構成部材１１Ａに対して構成部材１１Ｂ，１１Ｃを上下から噛み合わせ、各外側面１４Ａ，１４Ｂおよび重畳面１６Ａ，１６Ｂを折り曲げてロック部１８に被ロック部２５を係止したものである。
【００２５】
また、図５（Ｂ）に示すディスプレイ台１０では、３つの構成部材１１Ａ〜１１Ｃに形成する噛合溝１３を前記実施形態より若干幅広に形成し、構成部材１１Ａに対して２つの構成部材１１Ｂ，１１Ｃを噛み合わせるとともに、構成部材１１Ｂ，１１Ｃの噛合面１２を弾性的に湾曲させ、各外側面１４Ａ，１４Ｂおよび重畳面１６Ａ，１６Ｂを折り曲げてロック部１８に被ロック部２５を係止したものである。
【００２６】
このように、噛合面１２に形成する噛合溝１３の形状を変更することにより、３以上の構成部材でも希望に応じて噛み合わせて組み付けることが可能である。
【００２７】
さらに、前記実施形態では、ロック部１８を噛合面１２の両側縁から所定間隔をあけた位置に設けることにより、組付状態で風車形状をなすように構成したが、ロック部１８を噛合面１２の両端縁に設け、平面視多角筒形状をなすように構成してもよい。
【図面の簡単な説明】
【００２８】
【図１】本発明の実施形態に係るディスプレイ台を示す斜視図である。
【図２】ディスプレイ台の使用状態の一例を示す斜視図である。
【図３】ディスプレイ台の組付工程を示す斜視図である。
【図４】（Ａ）はディスプレイ台の構成部材のブランクを示す平面図、（Ｂ），（Ｃ）は（Ａ）の要部拡大図である。
【図５】（Ａ），（Ｂ）はディスプレイ台の変形例を示す斜視図である。
【図６】従来のディスプレイ台を示す分解斜視図である。
【符号の説明】
【００２９】
１０…ディスプレイ台
１１Ａ，１１Ｂ…構成部材
１２…噛合面
１３…噛合溝
１４Ａ，１４Ｂ…外側面
１６Ａ，１６Ｂ…重畳面
１８…ロック部
２５…被ロック部
【図１】
2006167285.tif 000003
【図２】
2006167285.tif 000004
【図３】
2006167285.tif 000005
【図４】
2006167285.tif 000006
【図５】
2006167285.tif 000007
【図６】
2006167285.tif 000008